(57)【要約】【課題】１ステップの作業で組み立てることのできる梱包材を提供する。【解決手段】梱包材１は厚紙２から形成され、山折り線３、４、５、６を境にして互いに隣接して形成された複数の平面部７、８、９、１０、１１を有する。平面部のうちの一端側の平面部７には山折り線２１を境にして差し込み片２０が形成されていると共に他端側の平面部１１には差し込み片２０が挿入される差し込み孔３０が形成されている。差し込み片２０は、山折り線と交差する方向に凸の形状であり、一端側の平面部７に接続する中央部２３ａと、中央部２３ａから記山折り線に沿った方向に延在した側縁部２３ｂと、を有する。差し込み孔３０は、山折り線に沿った方向に延びる直線状の直線部３０ａと、直線部３０ａの端部から直線部３０ａに対して１５５度〜１６５度の角度で傾斜した傾斜部３０ｂと、を有する。【選択図】図１
2015123999.tif 000002
【特許請求の範囲】
【請求項１】
厚紙を山折り線に沿って折り曲げて組み立てることにより多角筒状に形成され、内部に梱包物を収納する梱包材であって、
前記山折り線を境にして互いに隣接して形成された複数の平面部を有し、該平面部のうちの一端側の平面部には山折り線を境にして差し込み片が形成されていると共に前記平面部のうちの他端側の平面部には前記差し込み片が挿入される差し込み孔が形成されており、
前記差し込み片は、前記山折り線と交差する方向に凸の形状であり、前記一端側の平面部に接続する中央部と、該中央部から前記山折り線に沿った方向に延在した側縁部と、を有し、
前記差し込み孔は、前記山折り線に沿った方向に延びる直線状の直線部と、該直線部の端部から該直線部に対して１５５度〜１６５度の角度で傾斜した傾斜部と、を有することを特徴とする梱包材。
【請求項２】
前記差し込み片は、前記山折り線に沿う方向における前記中央部の長さと前記側縁部の長さとの比が２：１となるように形成されていることを特徴とする請求項１に記載の梱包材。
【請求項３】
前記差し込み孔は、前記山折り線に沿う方向における前記直線部の長さが、前記山折り線に沿う方向における前記差し込み片の前記中央部の長さと同じとなるように形成されていることを特徴とする請求項１又は２に記載の梱包材。
【請求項４】
前記差し込み片と前記差し込み孔とを、それぞれ前記山折り線に沿う方向に複数設けたことを特徴とする請求項１〜３のいずれか１項に記載の梱包材。
【請求項５】
前記差し込み片の前記中央部の片側にのみ前記側縁部が形成されており、前記差し込み孔の前記直線部において、前記側縁部に対応する側にのみ前記傾斜部が形成されていることを特徴とする請求項１〜４のいずれか１項に記載の梱包材。
【発明の詳細な説明】
【技術分野】
【０００１】
本発明は、厚紙を山折り線に沿って折り曲げて組み立てることにより多角筒状に形成される、内部に梱包物を収納する梱包材に関する。
【背景技術】
【０００２】
一般に、画像形成装置のトナーケースや定着装置のＩＨユニット等の製品の梱包には、段ボール等の厚紙製の梱包材が使用されている。
【０００３】
この種の梱包材としては、図６に示されるような梱包材が知られている。この梱包材１００は、山折り線を境にして隣接された複数の平面部を有し、一端側の平面部１０１に差し込み片１０２が形成されており、他端側の平面部１０３に差し込み片１０２が挿入される差し込み孔１０４が形成されている。差し込み片１０２の両側には、それぞれ山折り線１０５を境にして折り曲げ部１０６が接続されている。差し込み孔１０４は略コの字状に形成されており、差し込み片１０２は、両折り曲げ部１０６を山折り線１０５で略コの字状に折り曲げた姿勢で差し込み孔１０４に挿入されるようになっている。
【０００４】
このように差し込み片をコの字状に折り曲げた姿勢で差し込み孔に挿入する構造は、特許文献１に開示されている緩衝材料にも適用されている。
【先行技術文献】
【特許文献】
【０００５】
【特許文献１】特開平１１−７９１６３号公報
【発明の概要】
【発明が解決しようとする課題】
【０００６】
しかしながら上記に記載の梱包材１００においては、差し込み孔１０４の形状に合わせて差し込み片１０２の折り曲げ部１０６を折り曲げる作業と、差し込み孔１０４に挿入する作業との２ステップの作業が必要になる。また、折り曲げ部１０６の折り曲げ角度を差し込み孔１０４の形状に合わせるには、ある程度の作業経験が必要になる。
【０００７】
そこで、本発明は上記事情を考慮し、１ステップの動作で梱包状態を保持することができる梱包材を提供することを目的とする
【課題を解決するための手段】
【０００８】
上記した目的を達成するため、本発明の梱包材は、厚紙を山折り線に沿って折り曲げて組み立てることにより多角筒状に形成され、内部に梱包物を収納する梱包材であって、前記山折り線を境にして互いに隣接して形成された複数の平面部を有し、該平面部のうちの一端側の平面部には山折り線を境にして差し込み片が形成されていると共に前記平面部のうちの他端側の平面部には前記差し込み片が挿入される差し込み孔が形成されており、前記差し込み片は、前記山折り線と交差する方向に凸の形状であり、前記一端側の平面部に接続する中央部と、該中央部から前記山折り線に沿った方向に延在した側縁部と、を有し、前記差し込み孔は、前記山折り線に沿った方向に延びる直線状の直線部と、該直線部の端部から該直線部に対して１５５度〜１６５度の角度で傾斜した傾斜部と、を有することを特徴とする。
【０００９】
このような構成を採用することにより、差し込み孔に差し込み片を挿入すると、差し込み孔の形状に沿って差し込み片が湾曲しながら挿入されるので、差し込み孔に差し込み片を挿入するという１ステップの作業で梱包材を組み立てることができる。また、差し込み片は、差し込み孔に挿入された後厚紙の弾性によって湾曲した形状から元の直線状の形状に戻りやすいので、差し込み孔の直線部の両側の部分に差し込み片の側縁部が確実に係止されるようになり、いったん組み立てられると解体されにくくなる。
【００１０】
本発明において、前記差し込み片は、前記山折り線に沿う方向における前記中央部の長さと前記側縁部の長さとの比が２：１となるように形成されていることを特徴としてもよい。
【００１１】
このような構成を採用することにより、差し込み片を差し込み孔に挿入する際の押し込み力を確保できると共に、差し込み片を挿入した後で側縁部を差し込み孔の直線部の両側の部分に確実に係止させることができる。
【００１２】
本発明において、前記差し込み孔は、前記山折り線に沿う方向における前記直線部の長さが、前記山折り線に沿う方向における前記差し込み片の前記中央部の長さと同じとなるように形成されていることを特徴としても良い。
【００１３】
このような構成を採用することにより、差し込み片が差し込み孔に沿って移動し難いので、一端側の平面部と他端側の平面部とが山折り線に沿う方向に位置ずれし難くなる。
【００１４】
本発明において、前記差し込み片と前記差し込み孔とを、それぞれ前記山折り線に沿う方向に複数設けたことを特徴としてもよい。
【００１５】
このような構成を採用することにより、梱包材が長くなって山折り線が長い場合でも、差し込み片と差し込み孔の幅を大きくする必要がなく、各差し込み片を各差し込み孔にスムーズに挿入することができると共に強固に係止することができる。
【００１６】
本発明において、前記差し込み片の前記中央部の片側にのみ前記側縁部が形成されており、前記差し込み孔の前記直線部において、前記側縁部に対応する側にのみ前記傾斜部が形成されていることを特徴としてもよい。
【００１７】
このような構成を採用することにより、差し込み片を差し込み孔によりスムーズに挿入することができる。
【発明の効果】
【００１８】
本発明によれば、１ステップの動作で梱包状態を保持することができる梱包材を提供することができる。
【図面の簡単な説明】
【００１９】
【図１】本発明の一実施形態に係る梱包材の展開図である。
【図２】本発明の一実施形態に係る梱包材の斜視図である。
【図３】本発明の一実施形態に係る梱包材において、差し込み片を差し込み孔に挿入する途中の状態を示す斜視図である。
【図４】本発明の一実施形態に係る梱包材において、差し込み片を差し込み孔に挿入した後の状態を示す斜視図である。
【図５】本発明の他の実施形態に係る梱包材の展開図である。
【図６】従来の梱包材の展開図である。
【発明を実施するための形態】
【００２０】
以下、図面を参照しながら本発明の一実施形態に係る梱包材について説明する。
【００２１】
図１及び図２を参照して本発明の一実施形態に係る梱包材について説明する。図１は、梱包材を展開した状態を示す展開図、図２は梱包材の斜視図である。なお、以下の説明において、上下左右の向きは、便宜上、図１における向きを基準として説明する。
【００２２】
本発明の一実施形態に係る梱包材１は、図１に示されるような、例えば段ボール製の厚紙２を筒状に折り曲げて組み立てることにより、図２に示されるように、その内部に梱包物（図示省略）を収納可能な多角形の筒状を形成するように構成されている。なお、本発明の実施の形態では、前記梱包物が、トナーケースのように横長形状を有する場合について例示して説明する。
【００２３】
図１に示されるように、厚紙２は、略十字形状であり、上方から順に、左右方向に延びる平行な４本の第１〜第４山折り線３、４、５、６（図１に二点鎖線で図示）によって、横長の長方形状の第１〜第５平面部７、８、９、１０、１１に分けられている。第１山折り線３は、ミシン目からなる破断線として形成されている。第２平面部８の第１山折り線３の近傍には、ミシン目からなる破断線１２が第１山折り線３と平行に形成されている。２本の破断線３、１２の間には、破断部１３が形成されている。破断部１３の左端には左方向に突出した把持部１３ａが形成されている。
【００２４】
第４平面部１０の左右両側縁には、それぞれ正方形状のフラップ１４、１５がそれぞれ山折り線１６、１７（図１に二点鎖線で図示）を境にして接続されている。
【００２５】
第１平面部７の上端縁７ａは各山折り線３、４、５、６と平行に形成されている。上端縁７ａの中央付近には、差し込み片２０が形成されている。差し込み片２０は、上方向に凸の円弧状の先端縁と、先端縁の両端から上端縁７ａと直交する方向に延びる側端縁とで形成される上方向に凸の略半円形状であり、山折り線２１を境にして上端縁７ａに接続する接続部２２と、接続部２２の先端に設けられた本体部２３と、を有する。
【００２６】
本体部２３は、接続部２２に連続して形成された中央部２３ａと、中央部２３ａの両側のそれぞれから左右方向に延出する側縁部２３ｂと、を有する。接続部２２の両側には、両側縁部２３ｂと第１平面部７の上端縁７ａとの間に、所定の幅のスリット状の切り込み２４が形成されている。
【００２７】
本体部２３は、第１平面部７の上端縁７ａに沿う方向における中央部２３ａの長さＬ１が、各側縁部２３ｂの長さＬ２の２倍程度となるように形成されている。
【００２８】
第５平面部１１の第４山折り線６の下方には、第１平面部７に形成された差し込み片２０が挿入される差し込み孔３０が形成されている。差し込み孔３０は、扁平な略円弧状の形状であり、第４山折り線５の中央部に沿って直線状に延びる直線部３０ａと、直線部３０ａの両端からそれぞれ反対向きの斜め下方向に傾斜した傾斜部３０ｂと、を有する。直線部３０ａと各傾斜部３０ｂとのなす角θは１５５度〜１６５度の鈍角であり、好ましくは１６０度である。
【００２９】
差し込み孔３０は、直線部３０ａと各傾斜部３０ｂとの接続部付近において、幅が最も広くなるように形成されている。このため、各傾斜部３０ｂは、直線部３０ａの両端に向かって幅が広くなる略三角形状に形成されており、直線部３０ａは両側に向かうほど広くなるように形成されている。
【００３０】
差し込み孔３０は、各山折り線に沿う方向における直線部３０ａの長さＬ３が、差し込み片２０の本体部２３の中央部２３ａの長さＬ１と同じとなるように形成されている。
【００３１】
このような構成を備えた厚紙２から本発明の一実施形態に係る梱包材１を組み立てる方法を、図１及び図２と、図３及び図４を参照して説明する。図３は差し込み片を差し込み孔へ挿入する作業の途中の状態を示す斜視図であり、図４は差し込み片を差し込み孔に挿入した後の状態を示す斜視図である。
【００３２】
まず、梱包物を厚紙２の上の所定位置に載置し、厚紙２を、第１〜第４山折り線３、４、５、６に沿って山折りした後、第１平面部７を第５平面部１１の上面に重ねると、厚紙２は断面形状が四角形の筒状に折り曲げられる。
【００３３】
次に、第１平面部７の差し込み片２０を山折り線２１に沿って山折りし、図２の矢印Ａで示されるように、本体部２３の先端側から第５平面部１１の差し込み孔３０に挿入していく。差し込み片２０は、本体部２３の中央部２３ａの先端から差し込み孔３０の直線部３０ａに挿入される。中央部２３ａの先端側の部分が所定の深さまで直線部３０ａに挿入された後、さらに押し込むと、図３に示されるように、本体部２３の両側縁部２３ｂは、外側の面が差し込み孔３０の傾斜部３０ｂの内側の面で押されるようなり、両側縁部２３ｂが傾斜部３０ｂに沿うように内方向に湾曲しながら傾斜部３０ｂに入り込んでいく。ここで、差し込み孔３０の直線部３０ａに対する傾斜部３０ｂの角度は１５５度から１６５度の鈍角であるので、両側縁部２３ｂが中央部２３ａに対して強制的に折り曲げられるようなことはなく、差し込み孔３０にスムーズに挿入される。
【００３４】
第１平面部７の差し込み片２０が第５平面部１１の差し込み孔３０に完全に挿入されると、差し込み片２０の本体部２３の両側縁部２３ｂは厚紙２の弾性によって元の直線状の形状に復帰する。これにより、図４に示されるように、第５平面部１１の差し込み孔３０の直線部３０ａの両側の部分が差し込み片２０の両切り込み２４に嵌まり込む。つまり、第５平面部１１の差し込み孔３０の直線部３０ａの両側の部分３０ｃに両側縁部２３ｂが係止される。これにより、厚紙２は断面形状が四角形の筒状に組み立てられる。
【００３５】
最後に、両サイドフラップ１４、１５をそれぞれ山折り線１６、１７に沿って折り曲げる。なお、両サイドフラップ１４、１５を折り曲げる作業は最初に行っても良い。
【００３６】
上記した本発明の一実施形態に係る梱包材によれば、差し込み片２０を差し込み孔３０に挿入するという１ステップの作業で、梱包材１の梱包状態を保持することができるため、作業性を高めることができる。したがって、従来のような差し込み孔の形状に合わせて差し込み片を折り曲げるという作業が不要となるので、経験の少ない作業者でも簡単に組み立てることができる。
【００３７】
なお、差し込み孔３０の直線部３０ａに対する傾斜部３０ｂの角度は、１５５度未満であれば、差し込み片２０の本体部２３の両側縁部２３ｂが弾性的に湾曲し難くなり、差し込み孔３０に無理に押し込もうとすると、両側縁部２３ｂが折れ曲がってしまうような事態になり得る。一方、差し込み孔３０の直線部３０ａに対する傾斜部３０ｂの角度が１６５度を超えると、差し込み片２０が差し込まれた後で側縁部２３ｂが直線状に復帰した際に、差し込み孔３０の直線部３０ａの両側の部分３０ｃに両側縁部２３ｂが確実に係止されない虞がある。したがって、差し込み孔３０の直線部３０ａに対する傾斜部３０ｂの角度は１５５度〜１６５度が好ましく、より好ましくは１６０度である。
【００３８】
さらに、差し込み片２０の本体部２３においては、中央部２３ａと両側縁部２３ｂとの間に山折り線が形成されていないので、差し込み孔３０に本体部２３が挿入された後、差し込み孔３０に沿って湾曲した形状から厚紙１の弾性によって元の直線状の形状に戻りやすくなる。したがって、本体部２３の両側縁部２３ｂを差し込み孔３０の直線部３０ａの両側の部分に確実に係止することができるので、梱包材１はいったん組み立てられた後解体されにくくなる。なお、梱包物を取り出す際には、破断部１３の把持部１３ａを持って、両破断線３、１２に沿って破断部１３を破断する。
【００３９】
さらに、差し込み片２０の本体部２３は、山折り線に沿う方向における中央部２３ａと側縁部２３ｂとの長さの比が２：１となるように形成されているので、差し込み片２０を差し込み孔３０に挿入する際に、中央部２３ａによって適宜な差し込み力を確保しつつ、差し込み孔３０の直線部３０ａの両側の部分３０ｃに両側縁部２３ｂを係止されやすくできる。側縁部２３ｂの長さが長いと、差し込み孔３０に沿って湾曲する長さが長くなり、側縁部２３ｂが折れ曲がってしまうような事態になり得る。一方、側縁部２３ｂの長さが短いと、差し込み孔３０の直線部３０ａの両側の部分に係止されにくくなる。
【００４０】
さらに、差し込み孔３０は、直線部３０ａの長さＬ３が、差し込み片２０の本体部２３の中央部２３ａの長さＬ１と同じとなるように形成されているので、差し込み孔３０内で差し込み片２０が移動しにくくなる。このため、梱包材１が組み立てられた後で、第１平面部７と第５平面部１１とが山折り線に沿う方向に位置ずれし難い。
【００４１】
なお、上記した実施の形態では、差し込み片２０の形状を、山折り線と交差する方向に凸の略半円状としたが、他に、山折り線と交差する方向に凸の三角形状や台形状、半円状とすることもできる。
【００４２】
また、図５に示す他の実施の形態のように、差し込み片２０と差し込み孔３０とをそれぞれ山折り線に沿う方向に沿って２箇所に設けても良い。被梱包物が細長い形状の場合、梱包材１の山折り線３、４、５、６も長くなるが、差し込み片２０と差し込み孔３０とを複数設けることにより、差し込み片２０と差し込み孔３０の幅を大きくする必要がないので、差し込み片２０を差し込み孔３０にスムーズに挿入することができると共に強固に係止することができる。
【００４３】
また、差し込み片２０の本体部２３は、中央部２３ａの両側に側縁部２３ｂを有する形状としてもよいが、図５に示されるように、側縁部２３ｂは中央部２３ａの一方だけに設けても良い。この場合は、差し込み孔３０の傾斜部３０ｂも、側縁部２３ｂに対応する一方だけとしても良い。この場合には、差し込み片２０を差し込み孔３０によりスムーズに挿入することができる。
【００４４】
さらに、上記した本発明の実施形態の説明は、本発明に係る梱包材における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４５】
１  梱包材
２  厚紙
３、４、５、６  山折り線
７、８、９、１０、１１  平面部
２０  差し込み片
２３ａ  中央部
２３ｂ  側縁部
３０  差し込み孔
３０ａ  直線部
３０ｂ  傾斜部
【図１】
2015123999.tif 000003
【図２】
2015123999.tif 000004
【図３】
2015123999.tif 000005
【図４】
2015123999.tif 000006
【図５】
2015123999.tif 000007
【図６】
2015123999.tif 000008